(57)【要約】【課題】本発明の課題は、簡単な構成で悪戯に対する威嚇を行えるようにする自動販売機を提供することにある。【解決手段】ランプを内蔵する商品選択押釦、照明装置、ブザーを内蔵する金額表示器などを備えてなる自動販売機において、外部からの異常を検知する検知手段と、該検知手段にて異常を検知した際に前記商品選択押釦に内蔵するランプを点滅することで威嚇する報知手段とを備える。【選択図】図１
2007109202.tif 000002
【特許請求の範囲】
【請求項１】
ランプを内蔵する商品選択押釦、照明装置、ブザーを内蔵する金額表示器などを備えてなる自動販売機において、外部からの異常を検知する検知手段と、該検知手段にて異常を検知した際に前記商品選択押釦に内蔵するランプを点滅することで威嚇する報知手段とを備えたことを特徴とする自動販売機。
【請求項２】
請求項１に記載の自動販売機において、前記検知手段により検知した異常レベルを判定する判定手段と、該判定手段による判定レベルに基づき、前記商品選択押釦に内蔵するランプを点滅に加え、前記照明装置、ブザーを内蔵する金額表示器の少なくともひとつあるいは組合せによる報知を行うように威嚇レベルを調整する調整手段とを備えたことを特徴とする自動販売機。
【請求項３】
請求項２に記載の自動販売機において、外部通報中ランプを備えたことを特徴とする自動販売機。
【請求項４】
請求項２または３に記載の自動販売機において、音による威嚇を行うための音発生装置を備えたことを特徴とする自動販売機。
【請求項５】
請求項４に記載の自動販売機において、前記外部通報中ランプ、音発生装置を前記調整手段の対象とすることを特徴とする自動販売機。
【請求項６】
請求項１ないし５いずれかに記載の自動販売機において、前記検知手段は、自動販売機の振動を検知することを特徴とする自動販売機。
【請求項７】
請求項１ないし５いずれかに記載の自動販売機において、前記検知手段は、人感、熱、光、音、傾斜、電波、磁界を検知することを特徴とする自動販売機。
【請求項８】
請求項６に記載の自動販売機において、前記判定手段は、振動時間，振動の大きさあるいは回数により威嚇レベルを判定することを特徴とする自動販売機。
【請求項９】
請求項１ないし８いずれかに記載の自動販売機において、前記照明装置は白色ＬＥＤからなることを特徴とする自動販売機。
【請求項１０】
請求項１ないし９いずれかに記載の自動販売機において、前記検知手段にて異常と判断した日時を履歴として記憶する履歴記憶手段を備えたことを特徴とする自動販売機。
【請求項１１】
請求項１０に記載の自動販売機において、前記履歴記憶手段に記憶した異常発生日時を表示する表示手段を備えたことを特徴とする自動販売機。
【請求項１２】
請求項１ないし１１いずれかに記載の自動販売機において、前記検知手段にて異常と判断した際に、外部に送信する送信手段と、送信先を複数記憶しておき、判定手段の判定結果に基づき、送信先を指定する指定手段とを備えたことを特徴とする自動販売機。
【発明の詳細な説明】
【技術分野】
【０００１】
本発明は、自動販売機への悪戯を防止するたの防犯装置を備えた自動販売機に関する。
【背景技術】
【０００２】
従来の自動販売機において、自動販売機内部の金銭や商品の盗難を目的とした自動販売機への悪戯行為などが発生している。
この破壊被害を防ぐために、以下に記載するような防犯対策が採られている。
例えば、自動販売機に外部からの異常行為があったときに自動販売機周辺の状況を撮影した画像データをセンタ装置に送信する防犯装置を備えた自動販売機が知られている（例えば、特許文献１参照）。
また、自動販売機に異常が発生すると、蛍光灯の明るさを変えて、周囲に報知するようにした防犯装置を備えた自動販売機が知られている（例えば、特許文献２参照）。
【特許文献１】特開２０００−１４９１１４号公報
【特許文献２】特開２００１−１４３１４６号公報
【発明の開示】
【発明が解決しようとする課題】
【０００３】
しかしながら、特許文献１に示す防犯装置を備えた自動販売機では、画像をセンタへ送信する装置が必要なため、防犯装置が大掛かりとなってしまうとの問題点があった。
また、特許文献２に示す防犯装置を備えた自動販売機では、蛍光灯の明るさを変えるだけのため、蛍光灯の寿命による明るさのバラツキであるとして捉えられることもあり、悪戯に対する威嚇としての威力が小さいとの問題点があった。
本発明は、上記課題に鑑み、簡単な構成で悪戯に対する威嚇を行えるようにする自動販売機を提供することを目的とする。
【課題を解決するための手段】
【０００４】
上記の目的を達成するために、本発明の自動販売機は、ランプを内蔵する商品選択押釦、照明装置、ブザーを内蔵する金額表示器などを備えてなる自動販売機において、外部からの異常を検知する検知手段と、該検知手段にて異常を検知した際に前記商品選択押釦に内蔵するランプを点滅することで威嚇する報知手段とを備えたことを特徴とする。
また、上記構成に加え、具体的な解決手段として、以下の種々の構成により達成できる。
１）前記検知手段により検知した異常レベルを判定する判定手段と、該判定手段による判定レベルに基づき、前記商品選択ボタンに内蔵するランプを点滅に加え、前記照明装置、ブザーを内蔵する金額表示器の少なくともひとつあるいは組合せによる報知を行うように威嚇レベルを調整する調整手段とを備えたことを特徴とする。
２）外部通報中ランプ、音による威嚇を行うための音発生装置を備えたことを特徴とする。
３）前記外部通報中ランプ、音発生装置を前記調整手段の対象とすることを特徴とする。
４）前記検知手段は自動販売機の振動を検知することを特徴とする。
【０００５】
また、検知手段として、人感、熱、光、音、傾斜、電波、磁界を用いることを特徴とする
５）前記判定手段は、振動時間、振動の大きさあるいは回数により威嚇レベルを判定することを特徴とする。
６）前記照明装置は白色ＬＥＤからなることを特徴とする。
７）前記検知手段にて異常と判断した日時を履歴として記憶し、履歴を出力できることを特徴とする。
８）前記検知手段にて異常と判断した際に、外部に送信する送信手段を備え、送信先を複数記憶しておき、判定手段の判定結果に基づき、送信先を指定することを特徴とする。
【発明の効果】
【０００６】
本発明によれば、ランプを内蔵する商品選択押釦、照明装置、ブザーを内蔵する金額表示器などを備えてなる自動販売機において、外部からの異常を検知する検知手段と、該検知手段にて異常を検知した際に前記商品選択押釦に内蔵するランプを点滅することで威嚇する報知手段とを備えたことにより、一番目立つ照明の一つである商品選択押釦に威嚇することで、悪戯行為を抑止する効果が得られる。
また、商品選択押釦に加え、既存の照明装置、ブザーを内蔵する金額表示器あるいは外部通報中ランプ、音発生装置などの報知装置を付加することで、悪戯レベルによって、威嚇レベルを変更でき、メリハリの付いた悪戯行為を抑止する効果が得られる。
さらに、異常履歴を記憶して出力可能とすることで、どのような異常が発生したかを確認することでき、異常に応じた防犯対策を未然に講ずることが可能となるという効果が得られる。
【０００７】
またさらに、異常を外部に送信可能とし、検知レベルにより、送信先を指定することで、検知レベルに応じた対応が可能となるという効果が得られる。
【発明を実施するための最良の形態】
【０００８】
以下に、本発明の実施の形態を示す図１ないし図７を用いて、以下に説明する。
図４は、本発明を適用する自動販売機１の概略正面図である。
図４において、２は自動販売機１の本体前面には設けられる外扉であり、外扉２は、設定あるいは商品の補充等を行うときは開錠して開き、通常販売を行うときは施錠して閉じてある。３は透明な樹脂板からなる電照板であり、電照板３は、外扉２に設けられ、複数種類の見本商品４が内部に陳列される見本商品展示室５の前面を覆うように配設されている。この見本商品展示室５には、見本商品および前面を照らすための照明装置６が設けられ、この照明装置６の具体例として、例えば、蛍光灯あるいは白色ＬＥＤ等により、見本商品４および自動販売機１の前面を照射する。７は利用者が硬貨を投入する硬貨投入口であり、硬貨投入口７から投入された硬貨は自動販売機内部のコインメカに供給される。８は投入硬貨金額等を表示する金額表示器であり、金額表示器８は、内蔵ブザーを有する。９は商品選択押釦であり、商品選択押釦９は、販売可ランプおよび売切ランプを内蔵しており、見本商品４それぞれに対応して電照板３に設けられている。１０は返却レバーであり、返却レバー１０は、硬貨投入口７に投入された硬貨を返却口１１から返却したり、投入された硬貨から商品購入金額を差し引いた釣銭を返却口１１から返却したりする。１２は商品取出口であり、販売可ランプが点灯している商品選択押釦９を押下すると、商品選択押釦９に対応した見本商品の商品が商品取出口１２まで搬出される。１３は外部通報中ランプであり、外部通報中ランプ１３は、外扉２のこじ開けなどの悪戯に対して威嚇のためにあたかもセンタ装置に送信しているように周囲に報知する。この場合に、「外部通報中」の文字は、ランプの周囲にシールを貼り付けてもよいし、あるいはＬＥＤ表示器などを利用して表示するようにしてもよい。１４は音発生装置としてのスピーカであり、スピーカ１４は、外扉２のこじ開けなどの悪戯に対して威嚇のために周囲に大きな音（サイレンなど）で報知するものである。
【０００９】
次に、図１は、自動販売機１の制御動作を説明するためのブロック図である。
図１において、１０１は装置全体を制御するマスタ制御部であり、マスタ制御部１０１は、制御プログラムを格納するメモリ１０１ａ、設定データ、警報履歴など種々のデータを記憶するメモリ１０１ｂ、時計１０１ｃを備えている。
このマスタ制御部１０１には、センサ感度，音量などの各種設定および履歴確認指示を入力するキーボード１０２、商品搬出装置の駆動、冷熱装置の制御、および照明装置６の制御を行う本体制御部１０３、投入された硬貨受入れるコインメカの制御を行う硬貨処理部１０４の他、金額表示器８、販売可能ランプ９ａおよび売切ランプ９ｂを内蔵する商品選択押釦９が接続されている。
一方、１１１は悪戯検知あるいは報知するための警報制御部であり、マスタ制御部１０１に接続されている。警報制御部１１１は、警報履歴を記憶するメモリ１１１ａを備えており、警報制御部１１１には、自動販売機１の振動を検知する振動センサ１５、サイレン１３、外部通報中ランプ１４がそれぞれ接続されており、この各装置が破線で示すように１つの防犯ユニットＡとして、自動販売機のマスタ制御部１０１に接続されている。
【００１０】
この警報制御部１１１からマスタ制御部１０１に対して威嚇レベルを送信し、マスタ制御部１０１では、威嚇レベルに応じて、金額表示器８のブザー、商品選択押釦９の販売可ランプ９ａ、照明装置６などを制御する。一方、警報制御部１１１においては、威嚇レベルに応じて、外部通報中ランプ１３、サイレン１４を制御する。
なお、威嚇レベルは振動センサ１５の振動時間によって警報制御部１１１のメモリ１１１ａに記憶されており、この威嚇レベルによる報知する報知手段の組合せは警報制御部１１１並びにマスタ制御部１０１の各メモリに設定記憶されており、その一例を図３の威嚇レベルの対応図に示してある。
また、振動センサ１５は、自動販売機の適宜箇所に１個または複数個設けてもよい。
この構成において、通常販売においては、硬貨投入口７に商品販売価格以上の硬貨が投入され、商品選択押釦９が押されると、商品搬出装置１３を駆動して、商品取出口１２に商品を搬出し、釣銭が有る場合には、返却口１１に釣銭を返却することで、一連の販売処理が終了する。
【００１１】
このような自動販売機における防犯対策として、図２に示すフローチャートに基づいて、本発明の防犯動作を説明する。
自動販売機が通常運転している状態で、外扉をこじ開けて、金品を盗もうとする何らかの悪戯により、自動販売機１に振動が与えられ、そのことを振動センサ１５にて検知すると（ステップＳ１，Ｙｅｓ）、その振動センサ１５からの振動時間を計測する（ステップＳ２）。この計測時間により威嚇レベルを判断する（ステップＳ３）、すなわち、ステップＳ４にて、威嚇レベル「弱」である否かを判断する（ステップＳ４）。ここで、振動時間が短いため、威嚇レベル「弱」であると判断すると（ステップＳ４，Ｙｅｓ）、威嚇レベル「弱」であることが警報制御部１１１からマスタ制御部１０１に送信され、ステップＳ７に進む。ステップＳ７ではマスタ制御部１０１の指令により、図３に示すように、金額表示器８の内蔵ブザーによる報知を行うとともに、商品選択押釦９の販売可ランプ９ａを一斉に点滅する。
【００１２】
一方、ステップＳ４にて、振動時間が威嚇レベル「弱」の時間より長いため、「弱」ではないと判断すると（ステップＳ４，Ｎｏ）、威嚇レベル「中」である否かを判断する（ステップＳ５）。ここで、振動時間により威嚇レベル「中」であると判断すると（ステップＳ５，Ｙｅｓ）、威嚇レベル「中」であることが警報制御部１１１からマスタ制御部１０１に送信され、ステップＳ８に進む。ステップＳ８ではマスタ制御部１０１の指令により、図３に示すように、金額表示器８の内蔵ブザーによる報知、商品選択押釦９の販売可ランプ９ａの一斉点滅、照明装置６の点滅をそれぞれ行う。
次に、ステップＳ５にて、振動時間が威嚇レベル「中」の時間より長いため、「中」ではないと判断すると（ステップＳ５，Ｎｏ）、威嚇レベル「大」である否かを判断する（ステップＳ６）。ここで、振動時間により威嚇レベル「大」であると判断すると（ステップＳ６，Ｙｅｓ）、威嚇レベル「大」であることが警報制御部１１１からマスタ制御部１０１に送信され、ステップＳ９に進む。ステップＳ９ではマスタ制御部１０１の指令により、図３に示すように、金額表示器８の内蔵ブザーによる報知、商品選択押釦９の販売可ランプ９ａの一斉点滅、照明装置６の点滅を行うとともに、警報制御部１１１にて、外部通報中ランプ１３の点滅とスピーカ１４からサイレンなどの大きな音により周囲に報知する。
【００１３】
したがって、振動時間により威嚇レベルを変化させて、自動販売機の周囲に報知することで、効果的に悪戯を防止することができ、この報知は一定時間行われることになる。
なお、悪戯の検知として振動センサの振動時間により行うようにしたが、大きさ、回数でもよく、この他に、扉の周囲に線を張り巡らしておき、断線などを検知、急な温度上昇を検知、赤外光による人体検知、ドリルやハンマーの音を検知、自販機の傾斜を検知、電磁波を検知などの各種検知手段を単独または組合せて検知するようにしてもよい。
また、外部通報中ランプについては、予めセンタ装置などの通信可能状態となっている自動販売機に後付で設置した場合には、実際に悪戯の異常情報を外部へ送信してもよいし、また、通信可能となっていない場合には、外部通報中ランプのみで、送信できなくてもの報知でもよい。
【００１４】
さらに、異常履歴を保存することで、センタ装置に送信できなくても、狙われ易い時間帯および悪戯の強度などを把握することが可能となる。
このように、異常履歴の保存あるいは外部通報も考えられ、その一例について簡単に以下に説明する。
まず、図５、図６を用いて、異常履歴のデータを記憶し、記憶したデータを出力することができる実施例について説明する。
図５の構成ブロック図に示すように、本実施例では、図１の構成に加え、マスタ制御部１０１に異常履歴を印字するプリンタ１０５が接続され、キーボード１０２には、表示部１０２ａを有している。また、警報制御部１１１は、時計１１１ｂを備えており、さらに、警報制御部１１１には、自動販売機の商用電源とは別電源にて駆動するようにバッテリ１６が接続されており、警報制御部１１１のメモリ１１１ａあるいはマスタ制御部１０１のメモリ１０１ｂに異常履歴を記憶させるものである。
【００１５】
この構成において、図６のフローチャートにおいて、自動販売機が通常運転している状態で、何らかの悪戯により、自動販売機１に振動が与えられ、そのことを振動センサ１５にて検知すると（ステップＳ６１，Ｙｅｓ）、その振動センサ１５にて検知した時刻およびレベルなどを時系列に警報制御部１１１のメモリ１１１ａあるいは自動販売機マスタ制御部１０１のメモリ１０１ｂに記憶する（ステップＳ６２）。このようにメモリに記憶した異常履歴データは、キーボード１０２からの指示により（ステップＳ６３）、キーボード１０２の表示部に表示させたり、あるいはプリンタ１０５にて印字出力する（ステップＳ６４）。
したがって、異常履歴を後日確認したい場合に容易に出力できるものであり、出力順、出力期間、威嚇レベルの出力したい項目のみを指定して出力することも可能とである。
【００１６】
また、防犯ユニットＡのバッテリ１６を警報制御部１１１に接続してことで、自動販売機側の商用電源が遮断された場合でも、警報制御部１１１側のメモリ１１１ａに異常履歴を保存しておくことで、異常履歴データが消去されることがない。
さらに、警報制御部１１１のメモリ１１１ａに記憶している異常履歴データを一定期間毎、自動販売機側のメモリに送信することで、警報制御部側の履歴を削除することもでき、この場合には、警報制御部側のメモリ負荷の低減を図ることが可能となる。
次に、この異常情報を外部に送信する実施例を説明する。
図７の構成ブロック図に示すように、本実施例では、図１の構成に加え、マスタ制御部１０１に異常情報を外部に送信する通信装置１０６が接続され、マスタ制御部１０１のメモリ１０１ｂに、自動販売機の設置場所データ、送信先データ（自動販売機管理センタ、ルート作業者、警備会社など）および送信内容を予め記憶させておき、異常に通信装置１０６にて異常情報を送信するものである。
【００１７】
ここでは、図３に示すように、振動センサ１５の振動時間による威嚇レベル「弱、中、強」に応じ、送信先、送信内容をメモリ１０１ｂから選択して、通信装置１０６から各送信先に送信するものである。
例えば、警備会社などと契約しておき、威嚇レベルが「強」の場合、送信内容として「直ぐ来て下さい」とすれば、被害が最小限に食い止めることも可能となる。
また、センサとして、振動センサ他に別のセンサも併せて取り付けておき、センサに応じて送信先および送信内容を変えるようにしてもよい。
このように、異常が発生した時に外部に送信できるようにして、緊急の場合には、直ぐに駆けつけるようにメッセージを送信することで、悪戯を未然に防ぐことが可能となる。
なお、図５に示した実施例と組合せ、警報履歴を一定期間毎に通信装置１０６から管理センタへ送信するようにしてもよい。
【図面の簡単な説明】
【００１８】
【図１】本発明の自動販売機の制御装置を示す構成ブロック図
【図２】本発明の処理動作を示すフローチャート図
【図３】本発明の威嚇レベルの対応図
【図４】本発明の対象となる自動販売機の概略正面図
【図５】本発明の他の実施例を示す自動販売機の制御装置を示す構成ブロック図
【図６】本発明の図５における処理動作を示すフローチャート図
【図７】本発明の他の実施例を示す自動販売機の制御装置を示す構成ブロック図
【符号の説明】
【００１９】
１        自動販売機
６        照明装置
８        金額表示器
９        商品選択押釦
９ａ      販売可ランプ
１３      外部通報中ランプ
１４      スピーカ
１５      振動センサ
１６      バッテリ
１０１    マスタ制御部
１０１ｂ  メモリ
１０５    プリンタ
１０６    通信装置
１１１    警報制御部
１１１ａ  メモリ
Ａ        防犯ユニット
【図１】
2007109202.tif 000003
【図２】
2007109202.tif 000004
【図３】
2007109202.tif 000005
【図４】
2007109202.tif 000006
【図５】
2007109202.tif 000007
【図６】
2007109202.tif 000008
【図７】
2007109202.tif 000009